(57)【要約】【課題】容易な作業でミストノズルを機器ケーシング内に備えるノズルホルダに固定することを可能にする。【解決手段】ミストサウナ用の湯水を噴霧するミストノズルの先端を、機器ケーシングを下方から覆う前パネルに設けたノズル用開口孔から浴室内に臨んで配置したミスト噴霧装置で、鉛直方向に形成されたノズル挿入口とこのノズル挿入口の外周外側に鉛直方向に形成されたネジ孔とを具備するノズルホルダを前記機器ケーシング内に備えると共に、前記ミストノズルにはその先端部より大径に構成されたノズル基部が形成され、前記ノズル挿入口に挿入された前記ノズル基部が、前記ネジ孔に螺入された固定ネジのネジ頭によって前記ノズル挿入口における所定位置に係止されて、前記ミストノズルが前記ノズルホルダに止着される。【選択図】図７
2014045922.tif 000002
【特許請求の範囲】
【請求項１】
ミストサウナ用の湯水を噴霧するミストノズルの先端を、機器ケーシングを下方から覆う前パネルに設けたノズル用開口孔から浴室内に臨んで配置したミスト噴霧装置であって、
鉛直方向に形成されたノズル挿入口とこのノズル挿入口の外周外側に鉛直方向に形成されたネジ孔とを具備するノズルホルダを前記機器ケーシング内に備えると共に、前記ミストノズルにはその先端部より大径に構成されたノズル基部が形成され、
前記ノズル挿入口に挿入された前記ノズル基部が、前記ネジ孔に螺入された固定ネジのネジ頭によって前記ノズル挿入口における所定位置に係止されて、前記ミストノズルが前記ノズルホルダに止着されることを特徴とするミスト噴霧装置。
【請求項２】
前記ネジ孔に螺入された前記固定ネジが緩み前記固定ネジが前記ネジ孔から所定寸法引退したときに前記ネジ頭と当接して前記固定ネジの緩みを牽制するネジ緩み規制部を前記前パネルに備え、前記固定ネジが前記ネジ孔から所定寸法引退した状態において前記ミストノズルが前記ノズル挿入口から取り外し不能であることを特徴とする請求項１に記載のミスト噴霧装置。
【請求項３】
前記ノズル基部の側面に、前記ノズル基部の側面と前記ノズル挿入口の内周面との間をシールするシール部材を備え、前記固定ネジが前記ネジ孔から前記所定寸法引退した状態において前記ノズル基部の側面と前記ノズル挿入口の内周面との間のシールが維持されることを特徴とする請求項２に記載のミスト噴霧装置。
【請求項４】
前記前パネルには、前記機器ケーシングの下方から前記前パネルを前記機器ケーシングに接近させたときに前記ミストノズルの先端の前記ノズル用開口孔への挿通を誘導する挿通ガイド部を前記ノズル用開口孔の周囲に備え、前記ネジ緩み規制部が前記挿通ガイド部に形成されることを特徴とする請求項２または請求項３のいずれかに記載のミスト噴霧装置。
【発明の詳細な説明】
【技術分野】
【０００１】
本発明は、ミスト噴霧装置に関し、詳しくは、ミストサウナ用の湯水を噴霧するミストノズルの先端を、機器ケーシングを下方から覆う前パネルに設けたノズル用開口孔から浴室内に臨んで配置したミスト噴霧装置に関するものである。
【背景技術】
【０００２】
上記のようなミスト噴霧装置として、ノズルホルダに設けられたノズル挿入口に、ミストノズルの先端部より大径に構成されたミストノズルの基部が挿入されて、ミストノズルの基部がノズル挿入口に挿入された状態で、固定ネジを固定用ネジ孔にねじ込んで、固定ネジのネジ頭を、ミストノズルの先端部とミストノズルの基部との段差により形成されるつば部に係止させることで、ミストノズルがノズルホルダに対して抜けないように固定するように構成されたミスト噴霧装置が知られている（例えば、特許文献１参照）。
【先行技術文献】
【特許文献】
【０００３】
【特許文献１】特開２００８−１１００２２号公報
【発明の概要】
【発明が解決しようとする課題】
【０００４】
特許文献１のミスト噴霧装置においては、簡単な構成でミストノズルをノズルホルダに固定できるものであるが、ミストノズルの先端の噴霧口が鉛直線に対して傾いているため、上記固定用ネジ孔も鉛直線に対して傾き固定ネジを固定用ネジ孔にねじ込む際のねじ込み方向も鉛直線に対して傾くことになる。そのため、固定ネジを固定用ネジ孔にドライバーなどの工具を用いてねじ込む際に、ドライバーなどの工具の回転軸が上記固定用ネジ孔の中心軸とずれてしまい易く、上記固定ネジの中心軸と上記固定用ネジ孔の中心軸とを一致させるようにするためには熟練が必要であり、作業の容易化が望まれるものであった。
【０００５】
本発明は、かかる点に着目してなされたものであり、その目的は、容易な作業でミストノズルを機器ケーシング内に備えるノズルホルダに固定することを可能としたミスト噴霧装置を提供する点にある。
【課題を解決するための手段】
【０００６】
この目的を達成するために、本発明によるミスト噴霧装置は、ミストサウナ用の湯水を噴霧するミストノズルの先端を、機器ケーシングを下方から覆う前パネルに設けたノズル用開口孔から浴室内に臨んで配置したミスト噴霧装置であって、鉛直方向に形成されたノズル挿入口とこのノズル挿入口の外周外側に鉛直方向に形成されたネジ孔とを具備するノズルホルダを前記機器ケーシング内に備えると共に、前記ミストノズルにはその先端部より大径に構成されたノズル基部が形成され、前記ノズル挿入口に挿入された前記ノズル基部が、前記ネジ孔に螺入された固定ネジのネジ頭によって前記ノズル挿入口における所定位置に係止されて、前記ミストノズルが前記ノズルホルダに止着される点を特徴とする。
【０００７】
本発明によれば、容易な作業でミストノズルを機器ケーシング内に備えるノズルホルダに固定することが出来る。つまり、機器ケーシング内に備えるノズルホルダに形成されたノズル挿入口は鉛直方向に形成されたものであり、ノズル挿入口の外周外側に形成されたネジ孔も鉛直方向に形成されたものであるから、ミストノズルの先端部より大径に構成されたノズル基部をノズル挿入口に挿入した後、固定ネジのネジ頭によってノズル基部をノズル挿入口における所定位置に係止するために固定ネジをノズル挿入口の外周外側に形成されたネジ孔に螺入する際にもドライバーなどの工具を鉛直姿勢にて適正にネジ止め作業が行えることになり、固定ネジの中心軸と上記固定用ネジ孔の中心軸とを一致させるために特に熟練を必要とせず容易にミストノズルを機器ケーシング内に備えるノズルホルダに固定することが出来る。
【０００８】
なお、ミストノズルの先端を、機器ケーシングを下方から覆う前パネルに設けたノズル用開口孔から浴室内に臨んで配置したミスト噴霧装置の場合、ノズルホルダに具備するノズル挿入口およびこのノズル挿入口の周囲のネジ孔は、ノズルホルダにおいて下方から上方に向けて鉛直方向に形成されることになるため、当該ミスト噴霧装置の製造過程においては、機器ケーシングを天地反転させた機器ケーシングの上下反転姿勢にて、ミストノズルの先端部より大径に構成されたノズル基部をノズル挿入口に挿入した後、固定ネジのネジ頭によってノズル基部をノズル挿入口における所定位置に係止するために固定ネジをノズル挿入口の外周外側に形成されたネジ孔に螺入することが合理的であるから、電気ドライバーなどの工具の先端を下に向けた鉛直姿勢にてネジ止め作業が行えることになり、適正にネジ止め作業を行うための望ましい作業態様となる。
【０００９】
要するに、本発明によって容易な作業でミストノズルを機器ケーシング内に備えるノズルホルダに固定できるミスト噴霧装置とすることができる。
【００１０】
また、前記ネジ孔に螺入された前記固定ネジが緩み前記固定ネジが前記ネジ孔から所定寸法引退したときに前記ネジ頭と当接して前記固定ネジの緩みを牽制するネジ緩み規制部を前記前パネルに備え、前記固定ネジが前記ネジ孔から所定寸法引退した状態において前記ミストノズルが前記ノズル挿入口から取り外し不能であることが好ましい。
【００１１】
このように構成した場合、固定ネジが緩み固定ネジがネジ孔から所定寸法引退したときにも、前パネルに備えるネジ緩み規制部にネジ頭が当接することで、この所定寸法を超えてさらに固定ネジが緩むことが防止されるから、ミストノズルがノズル挿入口から外れてしまうことが防止される。つまり、固定ネジの緩みに起因したミストノズルのノズル挿入口からの外れが防止される。
【００１２】
また、前記ノズル基部の側面に、前記ノズル基部の側面と前記ノズル挿入口の内周面との間をシールするシール部材を備え、前記固定ネジが前記ネジ孔から前記所定寸法引退した状態において前記ノズル基部の側面と前記ノズル挿入口の内周面との間のシールが維持されることも好ましい。
【００１３】
このように構成することで、固定ネジが緩み固定ネジがネジ孔から所定寸法引退したときにも、ノズル基部の側面とノズル挿入口の内周面との間のシールが維持されるから、固定ネジの緩みに起因したノズル基部の側面とノズル挿入口の内周面との間のシール不足による水漏れが防止される。
【００１４】
また、前記前パネルには、前記機器ケーシングの下方から前記前パネルを前記機器ケーシングに接近させたときに前記ミストノズルの先端の前記ノズル用開口孔への挿通を誘導する挿通ガイド部を前記ノズル用開口孔の周囲に備え、前記ネジ緩み規制部が前記挿通ガイド部に形成されることも好ましい。
【００１５】
このように構成した場合、前パネルに、機器ケーシングの下方から前パネルを機器ケーシングに接近させたときにミストノズルの先端のノズル用開口孔への挿通を誘導する挿通ガイド部をノズル用開口孔の周囲に備えることで、ミストノズルの先端をノズル用開口孔に挿通させながら行うことになる、前パネルの機器ケーシングへの取り付けが容易に行え、また、ネジ緩み規制部を挿通ガイド部に形成する場合には、挿通ガイド部の形状の態様によってネジ緩み規制部を簡単に構成することができる。
【００１６】
要するに、前パネルの機器ケーシングへの取り付けが容易に行え、また、ネジ緩み規制部を簡単に構成することができる。
【発明の効果】
【００１７】
本発明によれば、容易な作業でミストノズルを機器ケーシング内に備えるノズルホルダに固定できるミスト噴霧装置とすることができる。また、固定ネジの緩みに起因したミストノズルのノズル挿入口からの外れが防止されたミスト噴霧装置とすることができる。また、固定ネジの緩みに起因したノズル基部の側面とノズル挿入口の内周面との間のシール不足による水漏れが防止されたミスト噴霧装置とすることもできる。
さらに、前パネルの機器ケーシングへの取り付けが容易に行え、また、ネジ緩み規制部が簡単に構成されたミスト噴霧装置とすることもできる。
【図面の簡単な説明】
【００１８】
【図１】実施形態１の浴室装置の分解斜視図である。
【図２】実施形態１の浴室の全体斜視図である。
【図３】実施形態１の浴室装置の概略側断面図である。
【図４】実施形態１の装置本体の底面図である。
【図５】実施形態１の前パネルの斜視図である。
【図６】実施形態１のノズルホルダ、ミストノズル、挿通ガイド部の斜め上方から見た要部断面図である。
【図７】実施形態１のノズルホルダ、ミストノズル、挿通ガイド部の正面から見た要部断面図である。
【図８】実施形態１のノズルホルダ、ミストノズル、挿通ガイド部の正面から見た要部断面図である。
【図９】実施形態２のノズルホルダ、ミストノズル、挿通ガイド部の正面から見た要部断面図である。
【図１０】実施形態３のノズルホルダ、ミストノズル、挿通ガイド部の正面から見た要部断面図である。
【発明を実施するための形態】
【００１９】
以下、本発明の実施形態について添付図面に基づいて説明する。
【００２０】
実施形態１の浴室装置１は、浴室の天井９に取り付けられる、ミスト機能付き浴室暖房乾燥機である。
【００２１】
浴室は、天井９を有し、天井９は、浴室の天井板９１の下面により構成され、図２に示されるように、浴室には浴槽９４が設けられている。なお、浴室は浴槽９４が設置されているものに限定されず、シャワールームであってもよい。
【００２２】
浴室装置１は、図１に示されるように、その下面が浴室内に臨むようにして配置される。浴室装置１は、天井スラブに固定された吊り金具９３を介して、吊り下げられている。
浴室装置１は、装置本体２と、前パネル４とを備えている。
【００２３】
装置本体２は、機器ケーシング２１と、機能部３とを備えている。機器ケーシング２１は、下方に向かって開口した箱形状をしている。機器ケーシング２１の開口周縁には、フランジ部２２が設けられている。機器ケーシング２１は、装置本体２の外郭を形成する。機能部３は、図３に示されるように、暖房部３１と、換気部３２と、ミスト発生部３３とを備えている。機能部３は、機器ケーシング２１内に収容配置されている。
【００２４】
暖房部３１は、温風用熱交換器３１１と、循環流路３１２と、循環ファン３１３とを備えている。循環流路３１２は、吸込み口３１４と、吹き出し口３１５とを有している。吸込み口３１４と吹き出し口３１５とは、浴室内に臨んでいる。循環ファン３１３は、循環流路３１２内の空気を通流させる。温風用熱交換器３１１は、循環流路３１２内に配置されている。温風用熱交換器３１１は、熱源機７（図２参照）との間で熱媒が循環するよう暖房配管に接続されている。温風用熱交換器３１１は、循環流路３１２内を通流する空気
と熱交換を行なう。これにより、暖房部３１は、吸込み口３１４から浴室内の空気を装置本体２内に取り込み、取り込んだ空気を温風用熱交換器３１１により加熱した上で、その温風を吹き出し口３１５から浴室内に吹き出す。
【００２５】
なお、吹き出し口３１５は、可動ルーバ３１６に設けられている。可動ルーバ３１６は、支持体３１７に回動自在に支持されている。支持体３１７は、機器ケーシング２１内に固定されている。
【００２６】
換気部３２は、換気ファン３２１と、排出路３２２とを備えている。排出路３２２は、吸込み口３２３と、排出部３２４とを備えている。吸込み口３２３は浴室内に臨んでいる。排出部３２４は、外部に連通している。換気ファン３２１は、排出路３２２内の空気を通流させる。換気部３２は、吸込み口３２３から浴室内の湿った空気を装置本体２内に取り込んだ上で、排出部３２４から外部に排出する。
【００２７】
ミスト発生部３３は、ミスト用熱交換器３３１と、配管部３３２と、ミストノズル３３３と、ミスト用弁３３４とを備えている。配管部３３２は、給水管とミストノズル３３３とを接続する。ミストノズル３３３の先端は、前パネル４に設けたノズル用開口孔４４（図５、図６、図７、図８参照。）から浴室内に臨んで配置されている。ミスト用熱交換器３３１は、熱源機７との間で熱媒が循環するよう暖房配管に接続されている。ミスト用熱交換器３３１は、配管部３３２を流通する水と熱交換を行なう。
【００２８】
ミスト用弁３３４は、配管部３３２においてミストノズル３３３のすぐ上流側に接続されている。ミスト用弁３３４は、例えば、熱動弁により構成されている。これによりミスト発生部３３は、浴室内に温水ミストを噴出する。
【００２９】
装置本体２には、図４に示されるように、複数の取付部２３が設けられている。取付部２３は、固着具５を介して前パネル４を取り付けるために設けられている。取付部２３は、雌ねじ部２４を有している。雌ねじ部２４の中心軸は、上下方向に平行となっている。雌ねじ部２４は下方に開口している。この取付部２３は、例えば、機器ケーシング２１の側面、及び支持体３１７に設けられている。
【００３０】
前パネル４は、装置本体２を構成する機器ケーシング２１の下方に配置される。前パネル４は、図５に示されるように、平面視矩形状をしている。前パネル４は、吸込み用開口４１と、吹き出し用開口４２とを備えている。吸込み用開口４１は、前パネル４が装置本体２に取り付けられると、暖房部３１の吸込み口３１４や換気部３２の吸込み口３２３に連通する。吹き出し用開口４２は、前パネル４が装置本体２に取り付けられると、装置本体２の吹き出し口３１５に連通する。
【００３１】
前パネル４は、固着具挿通孔４３を有している。固着具挿通孔４３は、装置本体２の取付部２３の雌ねじ部２４に対応する箇所に設けられている。図１に示されるように、固着具挿通孔４３には固着具５が挿通される。前パネル４は、装置本体２の下方に配置された状態で、固着具挿通孔４３に固着具５が挿通される。固着具５は、前パネル４の固着具挿通孔４３に挿通された状態で、雌ねじ部２４にねじ込まれる。これにより、前パネル４は、天井９に沿った状態で、装置本体２に取り付けられる。つまり、前パネル４は、天井９に沿った状態で前記装置本体２の下方に配置され、機器ケーシング２１を下方から覆う。
【００３２】
本実施形態の浴室装置１において、図６、図７に示すように、ミストノズル３３３は、機器ケーシング２１内に備えるノズルホルダ０７に止着されている。ノズルホルダ０７には下方から上方に向けて鉛直方向ノズル挿入口７１が形成されており、ノズル挿入口７１の外周外側にはミストノズル３３３止着用のネジ孔７２（図８参照）が下方から上方に向け鉛直方向に形成されている。
【００３３】
このように、ノズル挿入口７１の外周外側にはミストノズル３３３止着用のネジ孔７２（図８参照）が下方から上方に向け鉛直方向に形成されていることで、浴室装置１の製造過程において、機器ケーシング２１を天地反転させた機器ケーシング２１の上下反転姿勢にて、ミストノズル３３３の先端部より大径に構成されたノズル基部３４をノズル挿入口７１に挿入した後、固定ネジ７３のネジ頭７４によってノズル基部３４をノズル挿入口７１における所定位置に係止するために固定ネジ７３をノズル挿入口７１の外周外側に形成されたネジ孔７２（図８参照）に螺入する合理的な工法によって浴室装置１を製造する場合、電気ドライバーなどの工具の先端を下に向けた鉛直姿勢にてネジ止め作業が行えることになり、適正にネジ止め作業を行うための望ましい作業態様とすることが可能である。
【００３４】
また、図７に示すように、ミストノズル３３３にはその先端部より大径に構成されたノズル基部３４が形成されており、ノズル挿入口７１に挿入されたノズル基部３４が、ネジ孔７２（図８参照）に螺入された固定ネジ７３のネジ頭７４によって前記ノズル挿入口７１における所定位置に係止されて、前記ミストノズル３３３が前記ノズルホルダ０７に止着されている。
【００３５】
そして、図８に示すように、万が一、ネジ孔７２に螺入された固定ネジ７３が緩み固定ネジ７３がネジ孔７２から所定寸法Ａ引退したときにネジ頭７４と当接して固定ネジ７３の緩みを牽制するネジ緩み規制部８１を前記前パネル４に備え、固定ネジ７３がネジ孔７２から所定寸法Ａ引退した状態においてミストノズル３３３が前記ノズル挿入口７１から取り外し不能であるように構成されている。
【００３６】
このように、固定ネジ７３がネジ孔７２から所定寸法Ａ引退した状態においてミストノズル３３３が前記ノズル挿入口７１から取り外し不能であるように構成されていることで、固定ネジ７３の緩みに起因したミストノズル３３３のノズル挿入口７１からの外れが防止される。
【００３７】
因みに、固定ネジ７３がネジ孔７２から所定寸法Ａ引退した状態においても、固定ネジ７３のオネジ形成箇所はネジ孔７２のメネジ形成箇所に没入した状態であるから、例えばノズル挿入口７１内に印加される水圧などによってミストノズル３３３が図８の状態から更にノズル挿入口７１から下側に移動するような力がネジ頭７４に作用しても、固定ネジ７３のオネジ形成箇所とネジ孔７２のメネジ形成箇所との係止は十分に維持されるから、ミストノズル３３３が図８の状態から更にノズル挿入口７１から下側に移動することは阻止される。
【００３８】
なお、ノズル基部３４の側面に、ノズル基部３４の側面とノズル挿入口７１の内周面との間をシールするシール部材３６を備え、図８に示すように、固定ネジ７３が前記ネジ孔７２から所定寸法Ａ引退した状態においてノズル基部３４の側面とノズル挿入口７１の内周面との間のシールが維持されるように構成されている。
【００３９】
このように、固定ネジ７３が前記ネジ孔７２から所定寸法Ａ引退した状態においてノズル基部３４の側面とノズル挿入口７１の内周面との間のシールが維持されるように構成されていることで、固定ネジ７３の緩みに起因したミストノズル３３３のノズル挿入口７１からの外れが防止されると共に、固定ネジ７３の緩みに起因したノズル基部３４の側面とノズル挿入口７１の内周面との間のシール不足による水漏れが防止される。
【００４０】
また、図５、図６、図７、図８に示すように、前パネル４には、機器ケーシング２１の下方から前パネル４を機器ケーシング２１に接近させたときにミストノズル３３３の先端のノズル用開口孔４４への挿通を誘導する挿通ガイド部８２をノズル用開口孔４４の周囲に備え、挿通ガイド部８２の先端がジ緩み規制部８１を構成している。
【００４１】
このように、挿通ガイド部８２を備えていることで、機器ケーシング２１の下方から前パネル４を機器ケーシング２１に接近させたときに、ストノズル３３３の先端とノズル用開口孔４４が多少ずれている場合であっても、ミストノズル３３３の先端がノズル用開口孔４４に挿通されることが挿通ガイド部８２によってガイドされ誘導されるから、前パネル４の機器ケーシング２１への取り付けが容易に行える。またこの場合、挿通ガイド部８２の先端がネジ緩み規制部８１を構成しているから、浴室装置１に挿通ガイド部８２とは別にネジ緩み規制部８１を設ける必要がなく低コストで浴室装置１が構成できる。
【００４２】
実施形態１においては、固定ネジ７３が前記ネジ孔７２（図８参照）から所定寸法Ａ引退した状態においてノズル基部３４の側面とノズル挿入口７１の内周面との間のシールが維持されるように構成されているが、図９に示す実施形態２では、固定ネジ７３が前記ネジ孔７２（図８参照）から所定寸法Ｂ引退した状態においてノズル基部３４の側面とノズル挿入口７１の内周面との間のシールは維持されないが、固定ネジ７３がネジ孔７２（図８参照）から所定寸法Ｂ引退した状態においてミストノズル３３３が前記ノズル挿入口７１から取り外し不能であるように構成してある。
【００４３】
また、実施形態１においては、挿通ガイド部８２の先端がネジ緩み規制部８１を構成しているが、実施形態３では、図１０に示すように挿通ガイド部８２の先端を延長した延長部がネジ緩み規制部８１を構成している。なお、ネジ緩み規制部８１を挿通ガイド部８２に設けるのではなく、ネジ緩み規制部８１を挿通ガイド部８２と別体に設けるように構成してもよい。
【符号の説明】
【００４４】
１      浴室装置
２      装置本体
２１    機器ケーシング
２３    取付部
２４    雌ねじ部
３３３  ミストノズル
３４    ノズル基部
３６    シール部材
４      前パネル
４３    固着具挿通孔
４４    ノズル用開口孔
５      固着具
０７    ノズルホルダ
７１    ノズル挿入口
７２    ネジ孔
７３    固定ネジ
７４    ネジ頭
８１    ネジ緩み規制部
８２    挿通ガイド部
９      天井
９１    天井板
Ａ      所定寸法
Ｂ      所定寸法
【図２】
2014045922.tif 000003
【図３】
2014045922.tif 000004
【図７】
2014045922.tif 000005
【図８】
2014045922.tif 000006
【図９】
2014045922.tif 000007
【図１０】
2014045922.tif 000008
【図１】
2014045922.tif 000009
【図４】
2014045922.tif 000010
【図５】
2014045922.tif 000011
【図６】
2014045922.tif 000012